(57)【要約】【課題】  複数の表示パネルで放送受信装置を共用している場合、制限番組を視聴可能な視聴者に何度も認証処理を要求することなく視聴を行わせることを許可し、制限番組を視聴可能ではない視聴者に対しては適切な認証処理を実行することで、制限番組を誤って視聴可能な状態とすることを防止する。【解決手段】  放送受信装置３のＣＰＵ１１は、電源オンにより番組映像の表示要求を行った表示パネルの情報と、視聴履歴情報をＲＡＭ１３から取得する（Ｓ５０２、Ｓ５０３）。そして、表示パネルが選局したチャネルで放送中の番組が制限番組であるか否かを判定し（Ｓ５０５）、当該番組を過去に視聴していたか否かを視聴履歴情報から判定する（Ｓ５０６）。過去に視聴していた表示パネルと表示要求を行った表示パネルが同一の表示パネルであるならば（Ｓ５０７）、認証処理を不要として映像データ等を表示パネルに伝送する（Ｓ５０８）。【選択図】  図５
2010068125.tif 000002
【特許請求の範囲】
【請求項１】
表示パネルに対して、受信した放送信号から生成した番組の映像データを伝送可能な放送受信装置であって、
前記放送受信装置は複数の表示パネルに対して生成した映像データを伝送可能であり、
各表示パネルに伝送した番組の履歴情報を表示パネルの情報に関連付けて管理する管理手段と、
表示パネルに対して伝送する番組が、視聴者による認証情報の入力が必要な制限番組であるか否かを判定する第１の判定手段と、
前記第１の判定手段により前記番組が制限番組であると判定された場合、前記表示パネルが前記制限番組を過去に表示していた表示パネルか否かを前記履歴情報を用いて判定する第２の判定手段と、
前記表示パネルが前記制限番組を過去に表示していた場合には、視聴者の認証を求めることなく前記制限番組の映像データを前記表示パネルに伝送する制御を行い、前記表示パネルが前記制限番組を過去に表示していない場合には、視聴者の認証を求める制御を行う制御手段と、
を有することを特徴とする放送受信装置。
【請求項２】
少なくとも２台の表示パネルを、同一のグループとしてグルーピングする設定を行う設定手段を有し、
前記第２の判定手段は、前記制限番組を伝送する表示パネルまたは当該表示パネルと同一のグループとして設定された他の表示パネルが当該制限番組を過去に表示していたか否かを前記履歴情報を用いて判定し、
前記制御手段は、前記制限番組を伝送する表示パネルまたは当該表示パネルと同一のグループとして設定された他の表示パネルが前記制限番組を過去に表示していた場合には、視聴者の認証を求めることなく当該制限番組の映像データを前記表示パネルに伝送することを特徴とする請求項１に記載の放送受信装置。
【請求項３】
前記制御手段は、所定の表示パネルにおいて制限番組を表示中、当該制限番組の表示を中止したことに基づいて、当該所定の表示パネルと同一グループにある他の表示パネルに映像データを伝送中であるか否かを判定し、
映像データを伝送中であったならば、当該他の表示パネルが前記制限番組の表示を要求した場合に視聴者による認証情報の入力を求めることを特徴とする請求項２に記載の放送受信装置。
【請求項４】
時間を計測するタイマーを有し、
前記タイマーは制限番組を表示していた表示パネルの電源がオフされてからの時間を計測し、
前記制御手段は、前記計測時間が所定の時間を超過してから、前記制限番組を表示していた表示パネルにて、再度同じ制限番組を表示しようとした場合には、視聴者による認証情報の入力を求めることを特徴とする請求項１に記載の放送受信装置。
【請求項５】
時間を計測するタイマーを有し、
前記タイマーは制限番組を表示していた表示パネルの電源がオフされてからの時間を計測し、
前記制御手段は、計測時間が所定の時間を超過してから、前記制限番組を表示していた表示パネルまたは当該表示パネルと同一のグループとして設定された他の表示パネルにて、再度同じ制限番組を表示しようとした場合には、視聴者による認証情報の入力を求めることを特徴とする請求項２に記載の放送受信装置。
【請求項６】
表示パネルに対して、受信した放送信号から生成した番組の映像データを伝送可能な放送受信装置の制御方法であって、
前記放送受信装置は複数の表示パネルに対して生成した映像データを伝送可能であり、
各表示パネルに伝送した番組の履歴情報を表示パネルの情報に関連付けて管理する管理工程と、
表示パネルに対して伝送する番組が、視聴者による認証情報の入力が必要な制限番組であるか否かを判定する第１の判定工程と、
前記第１の判定工程により前記番組が制限番組であると判定された場合、前記表示パネルが前記制限番組を過去に表示していた表示パネルか否かを前記履歴情報を用いて判定する第２の判定工程と、
前記表示パネルが前記制限番組を過去に表示していた場合には、視聴者の認証を求めることなく前記制限番組の映像データを前記表示パネルに伝送する制御を行い、前記表示パネルが前記制限番組を過去に表示していない場合には、視聴者の認証を求める制御を行う制御工程と、
を有することを特徴とする放送受信装置の制御方法。
【請求項７】
少なくとも２台の表示パネルを、同一のグループとしてグルーピングする設定を行う設定工程を有し、
前記第２の判定工程では、前記制限番組を伝送する表示パネルまたは当該表示パネルと同一のグループとして設定された他の表示パネルが当該制限番組を過去に表示していたか否かを前記履歴情報を用いて判定し、
前記制御工程では、前記制限番組を伝送する表示パネルまたは当該表示パネルと同一のグループとして設定された他の表示パネルが前記制限番組を過去に表示していた場合には、視聴者の認証を求めることなく当該制限番組の映像データを前記表示パネルに伝送することを特徴とする請求項６に記載の放送受信装置の制御方法。
【請求項８】
前記制御工程では、所定の表示パネルにおいて制限番組を表示中、当該制限番組の表示を中止したことに基づいて、当該所定の表示パネルと同一グループにある他の表示パネルに映像データを伝送中であるか否かを判定し、
映像データを伝送中であったならば、当該他の表示パネルが前記制限番組の表示を要求した場合に視聴者による認証情報の入力を求めることを特徴とする請求項７に記載の放送受信装置の制御方法。
【請求項９】
時間を計測するタイマーを用いて、制限番組を表示していた表示パネルの電源がオフされてからの時間を計測する計測工程を有し、
前記制御工程では、前記計測工程における計測時間が所定の時間を超過してから、前記制限番組を表示していた表示パネルにて、再度同じ制限番組を表示しようとした場合には、視聴者による認証情報の入力を求めることを特徴とする請求項６に記載の放送受信装置の制御方法。
【請求項１０】
時間を計測するタイマーを用いて、制限番組を表示していた表示パネルの電源がオフされてからの時間を計測する計測工程を有し、
前記制御工程では、前記計測工程における計測時間が所定の時間を超過してから、前記制限番組を表示していた表示パネルまたは当該表示パネルと同一のグループとして設定された他の表示パネルにて、再度同じ制限番組を表示しようとした場合には、視聴者による認証情報の入力を求めることを特徴とする請求項７に記載の放送受信装置の制御方法。
【発明の詳細な説明】
【技術分野】
【０００１】
本発明は、複数の表示パネルに放送番組映像を表示させることが可能な放送受信装置及び放送受信装置の制御方法に関する。
【背景技術】
【０００２】
テレビで視聴することが可能な放送番組の中には、特定の人しか視聴できないものがある。たとえば、特別な契約が必要な有料放送番組や、所定の年齢以上の人しか視聴することができない制限番組を視聴するには、テレビにおいてパスワードなどの認証情報を入力することが求められる場合がある。
【０００３】
認証情報の入力を行うことは手間のかかる処理であるにもかかわらず、電源が一度オフになってしまうと、再び同じ番組を視聴するには再度、認証情報の入力を行う必要が生じる。これは視聴者にとっては煩雑な操作となる。そこで、一度パスワード入力によって視聴可能になった番組であれば、再び電源オンした時にパスワードを入力することなく、継続して視聴することができるようにするという技術が開示されている（特許文献１参照）。
【０００４】
また、近年は表示パネルの薄型化が進み、壁に掛けて使用される場合も増えてきた。そのような使い方に適したものとして、チューナ部（放送受信部）と表示パネルが分離されたテレビが使用され始めている。さらには、一台のチューナを複数の表示パネルで共用するという構成も実現することができる（特許文献２参照）。
【特許文献１】特開平１１−１６４２２０号公報
【特許文献２】特開２００６−２６２５２６号公報
【発明の開示】
【発明が解決しようとする課題】
【０００５】
特許文献２において開示されているように、表示パネルは放送受信の機能、つまりチューナを備えない構成が一般的となっていくことが予想される。その場合、表示パネルとは独立して設けられた放送受信装置が受信した番組映像が有線または無線によって表示パネルに伝送されて表示パネルで表示されることになる。このように、表示パネルと放送受信装置が独立構造となると、複数の表示パネルに対して放送受信装置を一つ設けて共用することが可能となり、利便性やコスト面で有利となる。例えば、家庭においては、リビングに放送受信装置を設置するとともに、表示パネルをリビング、寝室、子ども部屋に設置する。そして、各表示パネルで表示する番組映像を放送受信装置から伝送することが可能となる。視聴者は、表示パネルを経由して放送受信装置に選局などの操作指示を伝えることで、放送受信部と表示部とが一体となった従来型のテレビ受信装置と同様の使い勝手を享受することができる。
【０００６】
しかしながら、放送受信装置が複数の表示パネルで共用されるようになると、上述したパスワード入力などのような認証処理が必要な番組視聴において問題が生じやすくなる。例えば、リビングに設置した表示パネルを用いて、認証が必要な番組の視聴を視聴者が行う場合を考える。この場合、放送受信装置は当該番組を視聴可能な視聴者からの番組視聴要求であるかを、認証処理を用いて判定する。認証の結果、当該番組を視聴可能な視聴者からの番組視聴要求であれば、リビングの表示パネルに当該番組の番組映像を伝送し、表示パネルはその映像を表示する。
【０００７】
こうした構成の放送受信システムにおいて、特許文献１に開示された技術を適用した場合、本来は視聴できないはずの視聴者が番組を視聴できてしまうケースが生じる。つまり、リビングの表示パネルの電源がオフにされた状態において、同じ番組を子ども部屋から他の視聴者が選局した場合、子ども部屋で操作している他の視聴者は認証処理を要求されることなく、表示パネルには番組映像が表示されてしまう。
【０００８】
これは、上記特許文献１で開示されているテレビ放送受信機はチューナと表示パネルが一体化された放送受信装置（テレビ）のみを想定しており、一つのチューナを複数の表示部で共用する特許文献２のような場合のことが考慮されていないためである。
【０００９】
このように、今後普及が予想される放送受信システムの形態において、従来から存在している単純な認証処理を適用してしまうと、視聴が許可されていない人が視聴制限のある番組を視聴できてしまうという問題が生じる。しかし、上述したように常に電源オン時に認証を求めるのは煩雑な操作を視聴者に求めることになる。
【課題を解決するための手段】
【００１０】
上記目的を達成するために、本発明の放送受信装置は、表示パネルに対して、受信した放送信号から生成した番組の映像データを伝送可能な放送受信装置であって、前記放送受信装置は複数の表示パネルに対して生成した映像データを伝送可能であり、各表示パネルに伝送した番組の履歴情報を表示パネルの情報に関連付けて管理する管理手段と、表示パネルに対して伝送する番組が、視聴者による認証情報の入力が必要な制限番組であるか否かを判定する第１の判定手段と、前記第１の判定手段により前記番組が制限番組であると判定された場合、前記表示パネルが前記制限番組を過去に表示していた表示パネルか否かを前記履歴情報を用いて判定する第２の判定手段と、前記表示パネルが前記制限番組を過去に表示していた場合には、視聴者の認証を求めることなく前記制限番組の映像データを前記表示パネルに伝送する制御を行い、前記表示パネルが前記制限番組を過去に表示していない場合には、視聴者の認証を求める制御を行う制御手段と、を有する。
【００１１】
また、上記目的を達成するために、本発明の放送受信装置の制御方法は、表示パネルに対して、受信した放送信号から生成した番組の映像データを伝送可能な放送受信装置の制御方法であって、前記放送受信装置は複数の表示パネルに対して生成した映像データを伝送可能であり、各表示パネルに伝送した番組の履歴情報を表示パネルの情報に関連付けて管理する管理工程と、表示パネルに対して伝送する番組が、視聴者による認証情報の入力が必要な制限番組であるか否かを判定する第１の判定工程と、前記第１の判定工程により前記番組が制限番組であると判定された場合、前記表示パネルが前記制限番組を過去に表示していた表示パネルか否かを前記履歴情報を用いて判定する第２の判定工程と、前記表示パネルが前記制限番組を過去に表示していた場合には、視聴者の認証を求めることなく前記制限番組の映像データを前記表示パネルに伝送する制御を行い、前記表示パネルが前記制限番組を過去に表示していない場合には、視聴者の認証を求める制御を行う制御工程と、を有する。
【発明の効果】
【００１２】
以上説明したように、本発明によれば、複数の表示パネルで放送受信装置を共用している場合、制限番組を視聴可能な視聴者に何度も認証処理を要求することなく視聴を行わせることを許可し、制限番組を視聴可能ではない視聴者に対しては適切な認証処理を実行することで、制限番組を視聴可能な状態とすることを極力防止することが可能となる。
【発明を実施するための最良の形態】
【００１３】
（実施例１）
以下、図面を用いて本発明の実施の形態について詳細に説明する。
【００１４】
図１は本発明における放送受信装置および放送受信システムの構成図である。
【００１５】
同図において、第一の表示パネル１および第二の表示パネル２は放送受信装置３から出力される映像を受信して表示するものである。
【００１６】
放送受信装置３は本発明を実施した放送受信装置および放送受信システムにおける放送受信機能を司る装置である。表示パネル１、２と放送受信装置３は無線伝送により接続されている。つまり、放送受信装置３は表示パネルとは独立した筐体として設けられている。放送受信装置３から送信される１９２０×１０８０サイズの画素から構成される映像データと、放送受信装置と表示パネル間で利用されるコマンドは無線を経由して表示パネル１、２に送られる。なお、本実施例においては放送受信装置３と表示パネル１、２の間を無線回線、例えばＷｉｒｅｌｅｓｓ  ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）で接続しているが、その他の無線伝送を用いても良い。また、無線伝送に限らずＬＡＮ（Ｌｏｃａｌ  Ａｒｅａ  Ｎｅｔｗｏｒｋ）やＨＤＭＩなどのケーブルにより接続した有線伝送でも良い。
【００１７】
図２は本発明に関する放送受信装置３の内部構成図である。同図において、ＣＰＵ１１はＲＯＭ１２に格納されたプログラムに従って放送受信装置の制御を司るものである。
【００１８】
ＲＡＭ１３は揮発性メモリであり、ＣＰＵ１１の動作のワークメモリとして使用されると同時に、各種データの一時記憶エリアとしても使用される。特に、後述する視聴履歴情報を格納するエリアとして使用される。
【００１９】
チューナ１４はアンテナから受信した放送信号を復調し、映像と音声などが多重されたストリームデータを出力するものである。なお、本実施例では、表示パネルの数以上のチューナを放送受信装置３は備えているものとする。つまり、複数の表示パネルで同時に異なるチャネルの番組を視聴することが可能な構成を有する。デマルチプレクサ１５はチューナから受信したストリームデータを映像ストリームデータと音声ストリームデータに分離するものである。
【００２０】
デマルチプレクサ１５で分離された映像ストリームデータは映像処理部１６に入力される。映像処理部１６においては、ＭＰＥＧ２符号化された映像ストリームデータを復号処理した上で、Ｉ／Ｐ変換処理、γ処理、スケーリング処理などを施してパネルに合わせた映像データに変換が行われる。
【００２１】
デマルチプレクサ１５で分離された音声ストリームデータは音声処理部１７に入力される。音声処理部１７においては、ＡＡＣ符号化された音声ストリームデータを復号処理してリニアＰＣＭ形式に変換する。
【００２２】
上記処理を行うことで生成された映像データと音声データは、Ｗｉｒｅｌｅｓｓ  ＨＤＭＩ送受信部１８において、ＨＤＭＩの所定のフレームフォーマットに組み立てられ、無線送信される。なお、Ｗｉｒｅｌｅｓｓ  ＨＤＭＩ送受信部１８は映像データや音声データを送信するだけではなく、表示パネルから送信されてくるパスワードなどの認証情報を受信することができる。
【００２３】
図３は本発明に関する表示パネルの内部構成図である。同図において、ＣＰＵ３１はＲＯＭ３２に格納されたプログラムに従って表示パネルの制御を司るものである。ＲＡＭ３３は揮発性メモリであり、ＣＰＵ３１の動作のワークメモリとして使用されると同時に、各種データのバッファとしても使用されるものである。
【００２４】
リモコン受光部３４は操作用のリモコンから赤外線により送信されるコマンドを受信する。
【００２５】
Ｗｉｒｅｌｅｓｓ  ＨＤＭＩ送受信部３６は放送受信装置３から送信された映像データや音声データを受信し、映像データと音声データを分離してＲＡＭ３３に格納する。なお、Ｗｉｒｅｌｅｓｓ  ＨＤＭＩ送受信部３６は映像データや音声データを受信するだけでなく、パスワードなどの認証制御情報を放送受信装置３に送信することもできるものである。
【００２６】
ＲＡＭ３３に格納された映像データは画像処理部３７において表示パネルに合わせたタイミング変換処理が行われ、パネル３８に表示される。
【００２７】
ＲＡＭ３３に格納された音声データは音声処理部３９においてＤ／Ａ変換処理が行われ、スピーカ４０に出力される。
【００２８】
図４は放送受信装置３のチューナ１４を利用して各表示パネルが視聴した番組の履歴を示す視聴履歴情報のイメージ図である。視聴順は数字が若い方が最も直前に視聴されている番組であることを示している。表示パネル名として放送受信装置３から映像データ等を伝送可能な表示パネルのパネル名情報が管理される。パネル名情報と関連付けられた番組名情報およびチャネル情報はその表示パネルで視聴者が視聴した番組名およびチャネルを識別するための情報である。また、その番組が視聴制限のある制限番組であるか否かを示す視聴制限有無情報が番組名情報およびチャネル情報と関連付けられて管理される。
【００２９】
これらの情報は、表示パネルから番組映像の表示要求が発生し、要求のあった表示パネルに対して番組の映像データや音声データが伝送されたことで新たに記録される。従って、表示要求が発生したが、要求した番組が制限番組であり、視聴者がこの制限を解除できなかった場合には視聴履歴情報を記録しない。
【００３０】
なお、図４では番組名やチャネルを番組名称やチャネル名称そのものとして示しているが、番組やチャネル毎に割り当てられたＩＤなどを代わりに記録しても良い。
【００３１】
続いて、本実施例における放送受信装置３の番組視聴制御を図５に示したフローチャートを用いて説明する。本フローチャートの各ステップは放送受信装置３のＣＰＵ１１が主体となって制御するものである。
【００３２】
まず、視聴者が番組を視聴したい表示パネルに対応するリモコン（不図示）を操作して、表示パネルの電源をオンにする。表示パネルの電源がオンになったことに伴い、表示パネルは放送受信装置３に対して表示要求コマンドを送信する。これは、所定のチャネルの映像を自パネルに表示することを放送受信装置３に対して指示するコマンドである。ステップＳ５０１では、放送受信装置３は表示パネルからＷｉｒｅｌｅｓｓ  ＨＤＭＩ送受信部１８を介して、表示要求コマンドを受信する。なお、放送受信装置３は常時電源がオンされているものとするが、表示パネルの電源オンまたはオフに連動して電源がオンまたはオフされるように制御することも可能である。
【００３３】
続いて、ステップＳ５０２では、ＣＰＵ１１は、表示要求コマンドを送信してきた表示パネルを識別するためのパネル情報を取得するためのコマンドを発行し、表示パネルからの応答として、パネル情報を取得する。なお、ステップＳ５０１で受信する表示パネルからの表示要求コマンドにパネル情報が含まれていれば、ステップＳ５０２の処理は省略することができる。
【００３４】
続いて、ステップＳ５０３では、ＣＰＵ１１はＲＡＭ１３に格納された視聴履歴情報を参照し、取得する。その後、ステップＳ５０４では、ＣＰＵ１１は表示要求のあった表示パネルから選局するチャネル情報を取得する。なお、表示パネルの電源オン時には、前回の電源オフ時点で視聴していたチャネルを自動的に選局することが一般的である。こうした制御を行う場合には、ＣＰＵ１１はステップＳ５０３で参照した視聴履歴情報を用いて、当該表示パネルが直前に視聴していたチャネル情報を取得し、チューナ１４をそのチャネルに選局するように制御する。
【００３５】
次に、ステップＳ５０５では、ＣＰＵ１１は選局するチャネルで現在放送中の番組が視聴制限の対象となる制限番組であるか否かを判定する。この判定は放送波から取得可能な番組情報（Ｓｅｒｖｉｃｅ  Ｉｎｆｏｒｍａｔｉｏｎ）に記述された内容から判定可能である。もし、視聴制限の対象ではない番組であれば、ステップＳ５０８へ移行する。
【００３６】
ステップＳ５０５にて、選局するチャネルで現在放送中の番組が視聴制限の対象となる制限番組であった場合には、ステップＳ５０６へ移行する。ステップＳ５０６ではＣＰＵ１１はステップＳ５０３で参照した視聴履歴情報を用いて、この制限番組を過去に視聴していたか否かを判定する。過去に視聴していなければステップＳ５０９へ移行する。もし、この制限番組を過去に視聴していたことが視聴履歴情報から明らかになった場合には、ステップＳ５０７へ移行する。なお、過去に視聴していたか否かの判定は、全く同一の番組であることが条件となる。例えば、週に一度放送されているシリーズ番組が制限番組であり、先週、その番組を視聴していたとしても、それは過去に視聴していたことにはならない。つまり、ステップＳ５０６では、ＣＰＵ１１は今現在放送中の番組そのものをその番組の放送時間内で過去に視聴していたか否かを判定することになる。
【００３７】
ステップＳ５０７では、ＣＰＵ１１はステップＳ５０２で取得したパネル情報と視聴履歴情報を用いて、表示要求を送信してきた表示パネルと、過去にその制限番組を視聴していた表示パネルとが同一であるか否かを判定する。同一であると判定された場合には、ステップＳ５０８へ移行する。同一ではないと判定された場合にはステップＳ５０９へ移行する。
【００３８】
ステップＳ５０８では、ＣＰＵ１１は当該番組の映像データや音声データを、表示を要求した表示パネルに対して伝送する。ステップＳ５０７からダイレクトにステップＳ５０８へ移行した場合は、今回表示を要求した表示パネルで過去に同じ制限番組を視聴していた、つまり、制限を解除していたことを意味している。前回の視聴時に視聴制限を解除するための認証処理を行った後、一時的に電源がオフになり、再度電源がオンになった場合には改めて視聴制限を解除するための認証処理を要求せずに、番組の映像データ等を表示パネルに伝送する。
【００３９】
一方、ステップＳ５０６およびステップＳ５０７からステップＳ５０９へ移行した場合、ＣＰＵ１１は表示要求のあった表示パネルに対して、制限番組を視聴するために必要な認証処理を要求する画面を表示させる制御を実行する。この制御は、例えば放送受信装置３から、表示パネルが予め保持する認証処理を要求する画面を呼び出して表示させるためのコマンドを送信する制御を実行すれば良い。また、放送受信装置３から認証処理を要求するための画面データを送信する制御でも良い。いずれにしても、放送受信装置３が表示要求を行った表示パネルに認証処理を要求する画面を表示させる制御を実行するのがステップＳ５０９の処理となる。
【００４０】
表示された認証処理画面に対して視聴者が認証処理を実行する。認証処理がパスワードを要求するものである場合には、視聴者がリモコン（不図示）などを用いてパスワードを入力する。もちろん、パスワード以外の認証処理を実行する構成を採用しても良い。ステップＳ５１０では、入力された認証情報は表示パネルから放送受信装置３に送信され、ＣＰＵ１１は送信された認証情報が、制限番組を視聴するのに必要な認証情報と合致するかを判定する。認証情報が合致した場合は視聴制限を解除することができたため、ステップＳ５０８へ処理を移行する。ステップＳ５０８の処理は上述した通りである。また、認証情報が合致しなかった場合は、制限番組を視聴することができないため、ステップＳ５１１では、ＣＰＵ１１は番組映像を表示できない旨を通知する情報を表示パネルに伝送する。
【００４１】
以上が本実施例における放送受信装置３の番組視聴制御である。
【００４２】
上述した番組視聴制御を図４で示した視聴履歴情報を用いた具体例で説明する。
【００４３】
図４に示した視聴履歴を有し、第一の表示パネル１と第二の表示パネル２の電源が共にオフ状態の場合から説明を開始する。この状態において、第一の表示パネル１の電源がオンとなり、放送受信装置３に対して表示要求を発行する。
【００４４】
放送受信装置３では第一の表示パネル１からの表示要求とパネル情報を取得する。また、ＲＡＭ１３から視聴履歴情報を取得する。第一の表示パネル１が前回視聴していたチャネルは視聴順１として管理されたＣｈ．１であるため、ＣＰＵ１１はチューナ１４でＣｈ．１を受信するように制御する。
【００４５】
続いて、ＣＰＵ１１は選局するＣｈ．１で現在放送中の番組が視聴制限の対象となる制限番組であるか否かを放送波から取得可能な番組情報（Ｓｅｒｖｉｃｅ  Ｉｎｆｏｒｍａｔｉｏｎ）に記述された内容から判定する。ここでは、番組Ａが現在放送中の番組であるとする。番組Ａは制限番組である。続いて、ＣＰＵ１１は現在放送中の番組Ａは過去に視聴していたか否かを視聴履歴情報から判断する。視聴履歴情報を参照すると、番組Ａは第一の表示パネル１で視聴されていた履歴が残っている。つまり、今回、電源をオンにして選局したチャネルで放送している番組Ａは、前回電源をオフにする前に視聴していたことが判明する。過去に番組Ａを視聴していたことが判明した場合には、ＣＰＵ１１は過去に番組Ａを視聴していた表示パネルが第一の表示パネル１と同一の表示パネルであるか否かを視聴履歴情報を参照して判定する。図４で示した視聴履歴情報を参照すると、第一の表示パネル１で番組Ａを視聴していたことがわかる。また、表示要求を行った表示パネルが第一の表示パネルであることも判明している。従って、番組Ａは既に第一の表示パネル１で制限を解除されて視聴されており、今回も同じ第一の表示パネル１からの表示要求であるとＣＰＵ１１は判断することができる。
【００４６】
以上より、ＣＰＵ１１は第一の表示パネル１に対して認証処理画面を表示する制御を実行せずに、番組Ａの映像データと音声データを第一の表示パネル１に伝送する。
【００４７】
一方、表示要求を送信した表示パネルが第二の表示パネル２であった場合には、番組Ａを視聴しようとしても、番組Ａを視聴していたのは第一の表示パネル１であったため、第二の表示パネル２で視聴するためには制限を解除するための認証が必要となる。
【００４８】
以上が、具体的な例を用いた本実施例の番組視聴制御の説明である。上述した処理により、制限番組の視聴制限を解除した表示パネルであれば、一時的に電源がオフとなり視聴を中止したとしても、その制限番組の放送中に再び電源がオンになり、当該番組の視聴を行う場合には認証処理を不要として即座に番組を視聴することが可能となる。一方、ある表示パネルで制限番組の視聴を解除する認証処理が済んでいたとしても、他の表示パネルからの表示要求の場合には、改めて認証処理を必要とする。以上により、視聴者が何度も認証処理を行うことに伴う操作の煩雑さを解消するとともに、制限番組を視聴すべきでない視聴者が認証処理を要求されずに制限番組を視聴することを極力排除することができる。
【００４９】
なお、本実施例では表示パネルの数を２台と想定して記載しているが、表示パネルの数は２台以上であっても本実施例の効果を得ることが可能である。
【００５０】
（実施例２）
続いて、本発明の第２の実施例を説明する。上述した実施例１においては、過去に視聴制限を解除して視聴した番組を再び視聴する場合には、過去に視聴していた表示パネルであれば認証処理を要求せずに表示する制御を実行していた。一方、本実施例では、表示パネルが３台以上存在するシステムにおいて、表示パネルをグルーピング（グループ化）することにより、過去に視聴していた表示パネルと同じグループとして設定された表示パネルであれば、認証処理を要求せずに表示する制御を実行する。
【００５１】
本実施例のシステム構成は、図１のシステム構成に対して、１台以上の表示パネルを加えたシステムとなる。本実施例の説明では、表示パネルは３台であるものとして説明する。また、放送受信装置３および表示パネルの構成はそれぞれ図２および図３で示した構成と同様であるため、説明を省略する。
【００５２】
本実施例では、２台の表示パネルをグループＡ、残り１台の表示パネルをグループＢとしてグループ設定してあるものとする。グループ設定は任意の表示パネルにグループ設定用の設定画面を表示し、設定画面を介して入力されたグループ分けの情報を放送受信装置３のＲＡＭ１３にグループ設定情報として格納することで完了する。ＲＡＭ１３には例えば、第一の表示パネル１と第二の表示パネルはグループＡであり、残りの表示パネルはグループＢである、という設定情報が表示パネルを識別するパネル情報に対応付けて管理されることになる。
【００５３】
続いて、本実施例の番組視聴制御を図６に示したフローチャートを用いて説明する。
【００５４】
本フローチャートの各ステップは放送受信装置３のＣＰＵ１１が主体となって制御するものである。
【００５５】
まず、視聴者が番組を視聴したい表示パネルに対応するリモコン（不図示）を操作して、表示パネルの電源をオンにする。表示パネルの電源がオンになったことに伴い、表示パネルは放送受信装置３に対して表示要求コマンドを送信する。ステップＳ６０１およびステップＳ６０２は実施例１のステップＳ５０１およびステップＳ５０２と同様の処理を行うものであるので説明を省略する。
【００５６】
ステップＳ６０３では、ＣＰＵ１１は視聴履歴情報に加え、予め設定されたグループ設定情報を取得する。
【００５７】
ステップＳ６０４、ステップＳ６０５、ステップＳ６０６は実施例１のステップＳ５０４、ステップＳ５０５、ステップＳ５０６と同様の処理を行うものであるので説明を省略する。
【００５８】
ステップＳ６０７では、ＣＰＵ１１はステップＳ６０２で取得したパネル情報、視聴履歴情報、グループ設定情報を用いて、表示要求を送信してきた表示パネルと、過去にその制限番組を視聴していた表示パネルとが同一のグループであるか否かを判定する。同一のグループであると判定された場合には、ステップＳ６０８へ移行する。同一のグループではないと判定された場合にはステップＳ６０９へ移行する。
【００５９】
ステップＳ６０８からステップＳ６１１は実施例１のステップＳ５０８からステップＳ５１１と同様の処理を行うものであるので説明を省略する。
【００６０】
以上の番組視聴制御により、過去にその制限番組を視聴した表示パネルと同じグループに属する表示パネルであれば、再びその制限番組を視聴する場合には認証処理を不要とすることができる。
【００６１】
実施例２に示した番組視聴制御は、以下のようなケースで効果を発揮する。例えば、リビングと親の寝室にある表示パネルを同一のグループとしておき、子ども部屋にある表示パネルを別グループとして設定しておく。そして、親がリビングで成人向けの番組を視聴していたとする。番組放送中にリビングから寝室に移動して、その番組の続きを視聴する際には、リビングで既に制限を解除して視聴しており、かつ、その制限番組の放送中に同じグループの表示パネルでの視聴を再開することになる。従って、寝室で親が制限番組の認証処理を実行する必要はなく、簡単に視聴を継続することができる。一方、制限番組の放送中に、子ども部屋で子どもが表示パネルを操作し、制限番組を放送中のチャネルを選局したとしても、この表示パネルはリビングや寝室の表示パネルとは別グループの設定がされているため、認証処理により制限を解除しないと視聴することができない。つまり、実質的に子ども部屋での視聴は不可能となる。
【００６２】
このように、３台以上の表示パネルを有するような放送受信システムにおいて、任意の表示パネルをグループ化しておくことで、視聴者のニーズに則した番組視聴時の認証処理の要否を制御することが可能となる。
【００６３】
なお、実施例２では同一グループとして設定された表示パネルであれば、過去に視聴していた制限番組の放送中に、再び同じ制限番組を視聴する場合には、認証処理を不要とする制御を行った。しかしながら、同一グループにある２台の表示パネルが共に番組の視聴を行っている状態では次のような問題を生じる可能性がある。
【００６４】
同一グループにある２台の表示パネルが共に番組の視聴を行っている状態というのは、各表示パネルをそれぞれ異なる視聴者が利用していることが考えられる。従って、制限番組を視聴していた表示パネルの電源がオフになった後に、他方の表示パネルで制限番組を放送しているチャネルに選局した場合には、制限番組を視聴していた視聴者と、他方の表示パネルで選局した視聴者とが異なる可能性が高い。この場合、他方の表示パネルを利用している視聴者が認証処理を要求されずに制限番組を視聴できると、特定の視聴者しか制限を解除できない番組も自由に視聴できてしまうという問題を生じる可能性がある。
【００６５】
そこで、制限番組の視聴を中止（電源をオフ）した時点で、制限番組を視聴していた表示パネルと同一グループにある他の表示パネルが、何らかのチャネルの番組を視聴している場合には、仮に同一グループにある他の表示パネルが制限番組を選局したとしても認証処理を要求することにする。具体的には、ＣＰＵ１１は制限番組の視聴を中止した時点で、同一グループにある他の表示パネルで番組映像を視聴中であるか否かを判定する。これは、放送受信装置３は視聴中の表示パネルには映像データ等を伝送する制御を行っているので、視聴中であるか否かを判定するには、伝送中であるか否かを判定すれば良い。
【００６６】
もし、同一グループにある他の表示パネルで映像を視聴中でなければ、図６で示した制御を実行すれば良い。一方、同一グループにある他の表示パネルのうち、番組映像を視聴中の表示パネルが存在している場合には、当該表示パネルから過去に視聴していた制限番組の表示要求を受け取ったことに応じて、制限を解除するための認証を要求すれば良い。
【００６７】
このように制御することで、制限番組を本来視聴すべきでない視聴者が、誤って番組を視聴してしまうことを極力避けることが可能となる。
【００６８】
また、放送受信装置３が時計機能を有していれば、視聴者によって設定された時間帯のみ、実施例２の機能をオフにする制御を追加することもできる。例えば、２３時から翌朝６時までの間は、同一グループ内の表示パネルであっても、常に認証処理を実行するように制御可能である。
【００６９】
（実施例３）
続いて、本発明の第３の実施例を説明する。上述した実施例１および実施例２では、視聴制限を解除して番組を視聴していた表示パネルの電源をオフにした後、同一の表示パネルまたは同一グループ内の表示パネルで再度同じ制限番組を視聴しようとした場合には、原則的に認証処理を不要した。しかしながら、電源オフから長時間が経過した場合には、視聴制限を解除して番組を視聴していた視聴者が電源をオンにしたとは必ずしも言えない場合が考えられる。
【００７０】
そこで、放送受信装置３にタイマーを設ける。そして、ＣＰＵ１１は、視聴制限を解除して制限番組を視聴していた表示パネルの電源オフからの時間を、タイマーを用いて計測する。そして、ＣＰＵ１１は、電源オフからの計測時間が所定の時間、例えば３分間を超過してから、同じ表示パネルまたは同一グループ内の表示パネルにて、再度同じ制限番組を視聴しようとした場合には改めて認証を要求するように制御する。これにより、視聴制限を解除した視聴者が一時的に表示を中断してから再度視聴を継続する場合には、認証処理を繰り返すことなく視聴することを可能とする。それとともに、視聴制限を解除した視聴者以外の視聴者が、同一の表示パネルまたは同一グループ内の表示パネルで、認証処理を実行することなく制限番組を視聴する可能性を極力排除することができる。
【図面の簡単な説明】
【００７１】
【図１】本発明に係る放送受信システムの構成図
【図２】本発明に係る放送受信装置３の内部構成図
【図３】本発明に係る表示パネル１、２の内部構成図
【図４】本発明に係る視聴履歴情報を示す概念図
【図５】本発明の実施例１に係る番組視聴制御のフローチャート
【図６】本発明の実施例２に係る番組視聴制御のフローチャート
【図１】
2010068125.tif 000003
【図２】
2010068125.tif 000004
【図３】
2010068125.tif 000005
【図４】
2010068125.tif 000006
【図５】
2010068125.tif 000007
【図６】
2010068125.tif 000008